(57)【要約】【課題】音声データの遅延が発生するのを抑制することが可能な再生装置を提供する。【解決手段】この録画再生装置１は、複数のスピーカ装置４と通信する通信部１４と、通信部１４を介して、複数のスピーカ装置４の情報を取得する制御部１６と、を備える。そして、制御部１６は、コンテンツが再生される場合には、取得された複数のスピーカ装置４の情報に基づいて、録画再生装置本体１ａと複数のスピーカ装置４とを対応付けるとともに、対応付けられた複数のスピーカ装置４に対して、再生されるコンテンツの音声データを送信する制御を行うように構成されている。【選択図】図５
2017005376.tif 000002
【特許請求の範囲】
【請求項１】
複数のスピーカ装置と通信する通信部と、
前記通信部を介して、前記複数のスピーカ装置の情報を取得する制御部と、を備え、
前記制御部は、コンテンツが再生される場合には、取得された前記複数のスピーカ装置の情報に基づいて、再生装置本体と前記複数のスピーカ装置とを対応付けるとともに、対応付けられた前記複数のスピーカ装置に対して、再生される前記コンテンツの音声データを送信する制御を行うように構成されている、再生装置。
【請求項２】
前記制御部は、前記再生装置本体と、前記複数のスピーカ装置のうち、選択された少なくとも一部の所定のスピーカ装置とを、対応付けるように構成されている、請求項１に記載の再生装置。
【請求項３】
前記制御部は、前記再生装置本体と前記所定のスピーカ装置とを、対応付けるのに加えて、前記所定のスピーカ装置の各々に割り当てる前記コンテンツの音声データのチャンネルを設定するように構成されている、請求項２に記載の再生装置。
【請求項４】
前記制御部は、前記所定のスピーカ装置のうちに、使用不能なスピーカ装置がある場合には、使用不能なスピーカ装置に対して割り当てられた前記コンテンツの音声データのチャンネルを、前記所定のスピーカ装置のうち使用可能なスピーカ装置に振り分けるように構成されている、請求項３に記載の再生装置。
【請求項５】
表示装置が接続可能な接続部をさらに備え、
前記制御部は、前記接続部を介して、前記表示装置から、前記表示装置の映像データの入力源の切替に関する入力源切替情報を取得するとともに、取得された前記入力源切替情報に基づくタイミングで、再生装置本体と前記所定のスピーカ装置とを、対応付けるように構成されている、請求項２〜４のいずれか１項に記載の再生装置。
【請求項６】
複数のスピーカ装置と再生装置の通信部により通信するステップと、
前記複数のスピーカ装置の情報を前記再生装置の制御部により取得するステップと、
コンテンツが再生される場合には、取得された前記複数のスピーカ装置の情報に基づいて、再生装置本体と前記複数のスピーカ装置とを対応付けるとともに、対応付けられた前記複数のスピーカ装置に対して、再生される前記コンテンツの音声データを送信する制御を前記再生装置の制御部により行うステップとを備える、再生方法。
【発明の詳細な説明】
【技術分野】
【０００１】
この発明は、再生装置および再生方法に関し、特に、音声データを再生する再生装置および再生方法に関する。
【背景技術】
【０００２】
従来、音声データを再生する再生装置が知られている（たとえば、特許文献１参照）。
【０００３】
上記特許文献１には、ＤＶＤに記録された映像データおよび音声データを再生するためのＤＶＤプレーヤ（再生装置）と、ＤＶＤプレーヤから送信された音声データを再生する５つのワイヤレスサブスピーカと、ＤＶＤプレーヤから送信された映像データを再生するＬＣＤディスプレイとにより構成されるワイヤレスメディアシステムが開示されている。このワイヤレスメディアシステムでは、５つのワイヤレスサブスピーカは、各々、スレーブ（子機）としての役割か、または、音声データをスレーブに転送するマスタ（親機）としての役割が割り当てられている。そして、このワイヤレスメディアシステムでは、音声データは、ＤＶＤプレーヤからマスタに対して送信された後、マスタからスレーブに対して送信されるように構成されている。これにより、ＤＶＤに記録された音声データの音声が、５つのワイヤレススピーカにより再生される。
【先行技術文献】
【特許文献】
【０００４】
【特許文献１】特表２０１０−５０７２９５号公報
【発明の概要】
【発明が解決しようとする課題】
【０００５】
しかしながら、上記特許文献１に記載のワイヤレスメディアシステムでは、ＤＶＤプレーヤからマスタを経由して、スレーブに対して音声データが送信される。このため、音声データが再生されるまでの通信経路（通信時間）が長くなり、映像データと音声データとの同期が外れ易い（音声データの遅延が発生し易い）という問題点がある。
【０００６】
この発明は、上記のような課題を解決するためになされたものであり、この発明の１つの目的は、音声データの遅延が発生するのを抑制することが可能な再生装置および再生方法を提供することである。
【課題を解決するための手段】
【０００７】
この発明の第１の局面による再生装置は、複数のスピーカ装置と通信する通信部と、通信部を介して、複数のスピーカ装置の情報を取得する制御部と、を備え、制御部は、コンテンツが再生される場合には、取得された複数のスピーカ装置の情報に基づいて、再生装置本体と複数のスピーカ装置とを対応付けるとともに、対応付けられた複数のスピーカ装置に対して、再生されるコンテンツの音声データを送信する制御を行うように構成されている。
【０００８】
この発明の第１の局面による再生装置では、上記のように、コンテンツが再生される場合には、取得された複数のスピーカ装置の情報に基づいて、再生装置本体と複数のスピーカ装置とを対応付けるとともに、対応付けられた複数のスピーカ装置に対して、再生されるコンテンツの音声データを送信する制御を行うように制御部を構成する。これにより、再生装置を親機として機能させるとともに、複数のスピーカ装置を子機として機能させ、再生装置から子機として機能する複数のスピーカ装置に対して再生されるコンテンツの音声データを直接的に送信することができる。その結果、音声データが再生されるまでの通信経路（通信時間）を短くすることができるので、音声データの遅延が発生するのを抑制することができる。したがって、コンテンツが映像データと音声データとの両方を含む場合に、映像データに対する音声データの遅延が発生するのを抑制することができる。
【０００９】
この場合、好ましくは、制御部は、再生装置本体と、複数のスピーカ装置のうち、選択された少なくとも一部の所定のスピーカ装置とを、対応付けるように構成されている。このように構成すれば、複数のスピーカ装置および再生装置を使用するユーザの環境に合わせて、選択された少なくとも一部の所定のスピーカ装置により音声データを再生させることができる。
【００１０】
上記再生装置本体と所定のスピーカ装置とを対応付ける構成において、好ましくは、制御部は、再生装置本体と所定のスピーカ装置とを、対応付けるのに加えて、所定のスピーカ装置の各々に割り当てるコンテンツの音声データのチャンネルを設定するように構成されている。このように構成すれば、ユーザが所定のスピーカ装置の再生する音声データのチャンネルを設定しなくとも、再生装置の制御部により所定のスピーカ装置の再生する音声データのチャンネルを設定させることができる。その結果、ユーザの利便性を向上させつつ、所定のスピーカ装置によりマルチチャンネルの音声データを再生させることができる。
【００１１】
この場合、好ましくは、制御部は、所定のスピーカ装置のうちに、使用不能なスピーカ装置がある場合には、使用不能なスピーカ装置に対して割り当てられたコンテンツの音声データのチャンネルを、所定のスピーカ装置のうち使用可能なスピーカ装置に振り分けるように構成されている。このように構成すれば、使用不能なスピーカ装置に対して割り当てられたチャンネルの音声データを、使用可能なスピーカ装置により再生させることができる。その結果、マルチチャンネルの音声データを欠落させることなく再生させることができる。
【００１２】
上記再生装置本体と所定のスピーカ装置とを対応付ける構成において、好ましくは、表示装置が接続可能な接続部をさらに備え、制御部は、接続部を介して、表示装置から、表示装置の映像データの入力源の切替に関する入力源切替情報を取得するとともに、取得された入力源切替情報に基づくタイミングで、再生装置本体と所定のスピーカ装置とを、対応付けるように構成されている。このように構成すれば、ユーザにより再生装置が使用されると考えられる場合に、迅速に、再生装置本体と所定のスピーカ装置とを対応付けることができる。
【００１３】
この発明の第２の局面による再生方法は、複数のスピーカ装置と再生装置の通信部により通信するステップと、複数のスピーカ装置の情報を再生装置の制御部により取得するステップと、コンテンツが再生される場合には、取得された複数のスピーカ装置の情報に基づいて、再生装置本体と複数のスピーカ装置とを対応付けるとともに、対応付けられた複数のスピーカ装置に対して、再生されるコンテンツの音声データを送信する制御を再生装置の制御部により行うステップとを備える。
【００１４】
この発明の第２の局面による再生方法では、上記のように再生装置の制御部を構成することによって、上記第１の局面による再生装置と同様に、音声データの遅延が発生するのを抑制することができる。
【発明の効果】
【００１５】
本発明によれば、上記のように、音声データの遅延が発生するのを抑制することが可能な再生装置および再生方法を提供することができる。
【図面の簡単な説明】
【００１６】
【図１】本発明の第１〜第３実施形態による再生システムの全体構成を示すブロック図である。
【図２】本発明の第１〜第３実施形態による再生システムの全体構成を説明するための図である。
【図３】本発明の第１実施形態による再生システムにおいてスピーカ装置が親機となる場合を説明するための図である。
【図４】本発明の第１実施形態による再生システムの録画再生装置におけるスピーカ装置の設定画面を示す図である。
【図５】本発明の第１実施形態による再生システムにおいて録画再生装置が親機となる場合を説明するための図である。
【図６】本発明の第１実施形態による再生システムの録画再生装置によるコンテンツ再生時の処理を説明するためのシーケンス図である。
【図７】本発明の第２実施形態による再生システムにおいて録画再生装置が親機となる場合を説明するための図である。
【図８】本発明の第３実施形態による再生システムの録画再生装置によるコンテンツ再生時の処理を説明するためのシーケンス図である。
【発明を実施するための形態】
【００１７】
以下、本発明を具体化した実施形態を図面に基づいて説明する。
【００１８】
[第１実施形態]
（再生システムの構成）
まず、図１および図２を参照して、本発明の第１実施形態による再生システム１００の構成について説明する。
【００１９】
本発明の第１実施形態による再生システム１００は、図１および図２に示すように、録画再生装置１と、表示装置２と、無線ルータ３と、複数（６つ）のスピーカ装置４（４ａ〜４ｆ）と、携帯端末５とを備えている。再生システム１００では、録画再生装置１および表示装置２は、互いにＨＤＭＩ（登録商標）規格のケーブル２ａにより接続されている。なお、録画再生装置１は、本発明の「再生装置」の一例である。
【００２０】
また、再生システム１００では、録画再生装置１、複数（６つ）のスピーカ装置４および携帯端末５は、無線ルータ３を介して、互いに無線で接続されている。言い換えると、再生システム１００では、録画再生装置１、複数（６つ）のスピーカ装置４および携帯端末５は、録画再生装置１、複数（６つ）のスピーカ装置４および携帯端末５を含むネットワーク上で、無線ルータ３を介して、互いに無線で接続されている。これにより、録画再生装置１、複数（６つ）のスピーカ装置４および携帯端末５は、ネットワーク内で、互いに無線通信可能に構成されている。
【００２１】
（録画再生装置の構成）
録画再生装置１は、図１に示すように、接続部１１と、読込部１２と、録画記憶部１３と、通信部１４と、記憶部１５と、制御部１６とを含んでいる。また、接続部１１と、読込部１２と、録画記憶部１３と、通信部１４と、記憶部１５と、制御部１６とは、録画再生装置本体１ａに設けられている。
【００２２】
接続部１１は、ＨＤＭＩ規格のケーブル２ａが接続可能な端子であり、ＨＤＭＩ規格のケーブル２ａの一端が接続されるように構成されている。
【００２３】
読込部１２は、光ピックアップなどの光学系を含み、コンテンツが記憶されたブルーレイディスクなどの光ディスク（図示せず）を読み込み可能に構成されている。録画再生装置１は、光ディスクに記憶されたコンテンツを再生可能に構成されている。
【００２４】
録画記憶部１３は、ハードディスクドライブなどの記憶媒体を含み、たとえば指定された放送番組や光ディスクに記憶されたコンテンツなどが記憶（録画）されるように構成されている。録画再生装置１は、録画記憶部１３に記憶されたコンテンツを再生可能に構成されている。
【００２５】
通信部１４は、所定の規格（たとえば、ＩＥＥＥ８０２．１１規格）に基づいて、無線通信が可能に構成されている。また、通信部１４は、無線ルータ３を介して、複数（６つ）のスピーカ装置４（４ａ〜４ｆ）および携帯端末５と無線通信するように構成されている。
【００２６】
記憶部１５は、ＲＯＭやＲＡＭなどのメモリを含み、録画再生装置１を動作させるためのプログラムなどが記憶されるように構成されている。第１実施形態では、記憶部１５には、録画記憶部１３に記憶されたコンテンツまたは読込部１２により光ディスクから読み込まれたコンテンツが再生される場合に、再生システム１００の複数（６つ）のスピーカ装置４のうち、予め登録されたスピーカ装置４によりコンテンツの音声データを再生させる処理を行うためのプログラムが記憶されている。この処理の詳細については、後述する。
【００２７】
制御部１６は、ＣＰＵを含み、録画再生装置１の各構成要素を制御するように構成されている。
【００２８】
（表示装置の構成）
表示装置２は、放送信号を受信可能なテレビジョン装置（ＴＶ装置）である。また、表示装置２は、受信部２１と、接続部２２と、表示部２３と、制御部２４とを含んでいる。
【００２９】
受信部２１は、チューナを含み、放送局により配信される放送信号を有線または無線で受信するように構成されている。
【００３０】
接続部２２は、ＨＤＭＩ規格のケーブル２ａが接続可能な端子であり、ＨＤＭＩ規格のケーブル２ａの録画再生装置１の接続部１１に接続される一端とは反対の他端が接続されるように構成されている。
【００３１】
表示部２３は、液晶パネルを含み、受信部２１により受信された放送信号に対応する映像や、録画再生装置１により再生されるコンテンツに対応する映像などを表示するように構成されている。
【００３２】
制御部２４は、ＣＰＵを含み、表示装置２の各構成要素を制御するように構成されている。
【００３３】
（スピーカ装置の構成）
複数（６つ）のスピーカ装置４（４ａ〜４ｆ）は、互いに略同様の構成であるので、以下では、スピーカ装置４ａ〜４ｆの構成を、スピーカ装置４の構成として説明する。
【００３４】
スピーカ装置４は、通信部４１と、スピーカ部４２と、制御部４３とを含んでいる。
【００３５】
通信部４１は、所定の規格（たとえば、ＩＥＥＥ８０２．１１規格）に基づいて、無線通信が可能に構成されている。また、通信部４１は、無線ルータ３を介して、録画再生装置１および携帯端末５と無線通信するように構成されている。
【００３６】
スピーカ部４２は、入力された音声データの音声を外部に向けて出力するように構成されている。
【００３７】
制御部４３は、ＣＰＵを含み、スピーカ装置４の各構成要素を制御するように構成されている。
【００３８】
（携帯端末の構成）
携帯端末５は、スマートフォン（多機能携帯電話）や、タブレットＰＣなどの携帯端末である。また、携帯端末５は、記憶部５１と、表示部５２と、通信部５３と、制御部５４とを含んでいる。
【００３９】
記憶部５１は、ＲＯＭやＲＡＭなどのメモリを含み、携帯端末５を動作させるためのプログラムなどが記憶されるように構成されている。また、記憶部５１は、音楽や動画などのコンテンツが記憶されるように構成されている。
【００４０】
表示部５２は、液晶パネルを含み、記憶部５１に記憶されたプログラムに対応する画像や、記憶部５１に記憶されたコンテンツに対応する映像などを表示するように構成されている。
【００４１】
通信部５３は、所定の規格（たとえば、ＩＥＥＥ８０２．１１規格）に基づいて、無線通信が可能に構成されている。また、通信部５３は、無線ルータ３を介して、録画再生装置１および複数（６つ）のスピーカ装置４（４ａ〜４ｆ）と無線通信するように構成されている。
【００４２】
制御部５４は、ＣＰＵを含み、携帯端末５の各構成要素を制御するように構成されている。
【００４３】
（マルチルームオーディオシステム）
ここで、再生システム１００では、複数（６つ）のスピーカ装置４および携帯端末５は、マルチルームオーディオシステムを構成している。以下、図２および図３を参照して、このマルチルームオーディオシステムについて説明する。
【００４４】
ここで、マルチルームオーディオシステムは、音声データを配信するための音源装置と、音源装置から配信される音声データを再生するためのスピーカ装置と、音源装置およびスピーカ装置の設定および制御を行うための制御装置とを備えるオーディオシステムであり、１つの音源装置から複数の部屋に配置されたスピーカ装置に音声データをネットワークで配信するオーディオシステムである。この第１実施形態では、音源装置および制御装置として、携帯端末５を用い、スピーカ装置として、複数（６つ）のスピーカ装置４（４ａ〜４ｆ）を用いる例について説明する。なお、音源装置および制御装置としては、この第１実施形態の例に限られず、別個の装置を用いてもよい。また、スピーカ装置の数としては、この第１実施形態の例に限られず、６つ以外の数のスピーカ装置を用いてもよい。
【００４５】
図２に示すように、複数（６つ）のスピーカ装置４（４ａ〜４ｆ）のうち３つのスピーカ装置４ａ〜４ｃは、リビングＲ１に配置されている。また、複数（６つ）のスピーカ装置４（４ａ〜４ｆ）のうち他の３つのスピーカ装置４ｄ〜４ｆは、リビングＲ１とは異なる他の部屋Ｒ２に配置されている。また、マルチルームオーディオシステムでは、たとえば各部屋に配置されるスピーカ装置４によりグループを形成するとともに、各グループに対してそれぞれ異なる音声データを配信することが可能である。この第１実施形態では、リビングＲ１に配置された３つのスピーカ装置４ａ〜４ｃにより、第１グループが形成され、他の部屋Ｒ２に配置された３つのスピーカ装置４ｄ〜４ｆにより、第２グループが形成されている。
【００４６】
また、マルチルームオーディオシステムでは、グループを形成する複数のスピーカ装置４（４ａ〜４ｃまたは４ｄ〜４ｆ）は、子機（スレーブ）、または、携帯端末５（音源装置）からの音声データを子機に対して送信する親機（マスタ）として設定されるように構成されている。なお、図面では、理解の容易のため、親機として設定された装置に「（Ｍ）」を付し、子機として設定された装置に「（Ｓ）」を付している。
【００４７】
具体的には、第１グループを形成する３つのスピーカ装置４ａ〜４ｃでは、スピーカ装置４ｂおよび４ｃが子機として設定され、携帯端末５からの音声データを子機としてのスピーカ装置４ｂおよび４ｃに対して送信する親機としてスピーカ装置４ａが設定されている。また、第２グループを形成する３つのスピーカ装置４ｄ〜４ｆでは、スピーカ装置４ｅおよび４ｆが子機として設定され、携帯端末５からの音声データを子機としてのスピーカ装置４ｅおよび４ｆに対して送信する親機としてスピーカ装置４ｄが設定されている。
【００４８】
また、図３に示すように、マルチルームオーディオシステムでは、グループを形成する複数のスピーカ装置４は、携帯端末５（音源装置）からの音声データのチャンネル（ＣＨ）が割り当てられ、自機が再生する音声データのチャンネルが設定されるように構成されている。
【００４９】
具体的には、第１グループを形成する３つのスピーカ装置４ａ〜４ｃでは、音声データのチャンネルのうちＣｅｎｔｅｒがスピーカ装置４ａに割り当てられ、Ｆｒｏｎｔ  Ｒがスピーカ装置４ｂに割り当てられ、Ｆｒｏｎｔ  Ｌがスピーカ装置４ｃに割り当てられて、再生する音声データのチャンネルが設定されている。また、第２グループを形成する３つのスピーカ装置４ｄ〜４ｆでは、音声データのチャンネルのうちＣｅｎｔｅｒがスピーカ装置４ｄに割り当てられ、Ｆｒｏｎｔ  Ｒがスピーカ装置４ｅに割り当てられ、Ｆｒｏｎｔ  Ｌがスピーカ装置４ｆに割り当てられて、再生する音声データのチャンネルが設定されている。
【００５０】
上記した複数（６つ）のスピーカ装置４（４ａ〜４ｆ）に対するグループの設定、グループ内における子機と親機との設定およびグループ内におけるチャンネルの設定は、制御装置としての携帯端末５を用いて行うことが可能である。すなわち、携帯端末５の制御部５４は、複数（６つ）のスピーカ装置４（４ａ〜４ｆ）に対するグループの設定、グループ内における子機と親機との設定およびグループ内におけるチャンネルの設定の入力を受け付けるように構成されている。設定の入力は、たとえば、携帯端末５の表示部５２に設定画面を表示させ、ユーザに設定操作を行わせることにより行うことが可能である。
【００５１】
また、携帯端末５の制御部５４は、設定の入力を受け付けることにより、マルチルームオーディオシステムの設定情報を取得するとともに、取得された設定情報を、複数（６つ）のスピーカ装置４に対して送信する制御を行うように構成されている。この結果、複数（６つ）のスピーカ装置では、マルチルームオーディオシステムの設定情報が設定され、設定されたマルチルームーディオシステムの設定情報に基づいて携帯端末５からの音声データが再生される。
【００５２】
次に、再び図３を参照して、音源装置としての携帯端末５からの音声データを、スピーカ装置４により再生する場合について説明する。ここでは、第１グループを形成する複数（３つ）のスピーカ装置４ａ〜４ｃにより再生する場合を例に説明する。なお、第２グループを形成する複数（３つ）のスピーカ装置４ｄ〜４ｆは、第１グループの場合と同様である。
【００５３】
この場合、携帯端末５の制御部５４は、記憶部５１に記憶されたコンテンツの音声データを、親機としてのスピーカ装置４ａに対して送信するように構成されている。また、親機としてのスピーカ装置４ａの制御部４３は、携帯端末５からの音声データを、子機としてのスピーカ装置４ｂおよび４ｃに対して、無線ルータ３を介することなく直接的に送信するように構成されている。これらの結果、Ｃｅｎｔｅｒ、Ｆｒｏｎｔ  ＲおよびＦｒｏｎｔ  Ｌの３チャンネルの音声データの音声が３つのスピーカ装置４ａ〜４ｃの各スピーカ部４２により出力される。つまり、音源装置としての携帯端末５からの音声データが、マルチルームオーディオシステムの設定情報に基づいて、複数（３つ）のスピーカ装置４ａ〜４ｃにより再生される。
【００５４】
（録画再生装置によるコンテンツの再生）
次に、図４および図５を参照して、録画再生装置１によりコンテンツが再生される場合について説明する。
【００５５】
図５に示すように、録画再生装置１の制御部１６は、録画再生装置１によりコンテンツが再生される場合には、表示装置２およびマルチルームオーディオシステムを構成するスピーカ装置４と連携して、コンテンツを再生する制御を行うように構成されている。具体的には、録画再生装置１の制御部１６は、表示装置２に対してコンテンツの映像データを送信し、スピーカ装置４に対してコンテンツの音声データを送信することにより、それぞれ、表示装置２に映像データの映像を表示（再生）させ、スピーカ装置４により音声データの音声を出力（再生）させる制御を行うように構成されている。この結果、再生システム１００では、録画再生装置１によりコンテンツが再生される場合に、録画再生装置１、表示装置２およびスピーカ装置４は、ホームシアターシステムを形成するように構成されている。
【００５６】
また、録画再生装置１の制御部１６は、マルチルームオーディオシステムを構成する複数のスピーカ装置４のうち、録画再生装置１からのコンテンツの音声データを再生する所定のスピーカ装置４の選択設定の入力を受け付けるように構成されている。
【００５７】
そして、第１実施形態では、録画再生装置１の制御部１６は、録画再生装置１によりコンテンツが再生される場合には、録画再生装置本体１ａと選択された所定のスピーカ装置４とを対応付ける（選択された所定のスピーカ装置４を子機として設定する）とともに、録画再生装置１により対応付けられた（子機として設定された）所定のスピーカ装置４に対して、再生されるコンテンツの音声データを送信するように構成されている。これにより、録画再生装置１の制御部１６は、マルチルームオーディオシステムの親機として機能するように構成されている。
【００５８】
ここで、図４を参照して、所定のスピーカ装置４の選択設定について説明する。
【００５９】
まず、録画再生装置１の制御部１６は、コンテンツが再生される前の任意のタイミングで、無線ルータ３を介して、ネットワーク内の複数（６つ）のスピーカ装置４（４ａ〜４ｆ）の情報（ＩＰアドレスなど）を取得するように構成されている。ここで、任意のタイミングは、コンテンツが再生される前であれば、いずれのタイミングであってもよく、特に限定されない。
【００６０】
そして、図４に示すように、録画再生装置１の制御部１６は、所定のスピーカ装置４をユーザにより選択させるための設定画面６０を、表示装置２の表示部２３に表示させる制御を行うように構成されている。設定画面６０は、情報が取得されたスピーカ装置４（４ａ〜４ｆ）のうちいずれのスピーカ装置４を所定のスピーカ装置４とするかを選択するとともに、選択された所定のスピーカ装置４にいずれのチャンネルを割り当てるかを選択することが可能な設定画面である。なお、この第１実施形態では、Ｆｒｏｎｔ  Ｌ、Ｆｒｏｎｔ  Ｒ、Ｃｅｎｔｅｒ、Ｓｕｒｒｏｕｎｄ  Ｌ、  Ｓｕｒｒｏｕｎｄ  Ｒ、Ｓｕｒｒｏｕｎｄ  Ｂａｃｋ  Ｌ、Ｓｕｒｒｏｕｎｄ  Ｂａｃｋ  Ｒ、Ｓｕｂｗｏｏｆｅｒの７．１チャンネルを所定のスピーカ装置４に割り当てる例を示すが、この第１実施形態の例に限られず、５．１チャンネルや９．１チャンネルなどのチャンネルを割り当てるようにしてもよい。
【００６１】
第１実施形態では、設定画面６０において、複数（６つ）のスピーカ装置４ａ〜４ｆの全部が所定のスピーカ装置４として選択されている。また、音声データのチャンネルのうちＦｒｏｎｔ  Ｌがスピーカ装置４ｃに割り当てられ、Ｆｒｏｎｔ  Ｒがスピーカ装置４ｂに割り当てられ、Ｃｅｎｔｅｒがスピーカ装置４ａに割り当てられ、Ｓｕｒｒｏｕｎｄ  ＬおよびＳｕｒｒｏｕｎｄ  Ｂａｃｋ  Ｌの２つがスピーカ装置４ｄに割り当てられ、Ｓｕｒｒｏｕｎｄ  ＲおよびＳｕｒｒｏｕｎｄ  Ｂａｃｋ  Ｒの２つがスピーカ装置４ｅに割り当てられ、Ｓｕｂｗｏｏｆｅｒがスピーカ装置４ｆに割り当てられている。
【００６２】
そして、録画再生装置１の制御部１６は、コンテンツの音声データを再生する所定のスピーカ装置４の設定と、所定のスピーカ装置４の各々に割り当てるコンテンツの音声データのチャンネルの設定との入力を受け付けるとともに、受け付けた入力の内容を、録画再生装置１の設定情報として録画再生装置１の記憶部１５に格納する制御を行うように構成されている。
【００６３】
また、録画再生装置１の制御部１６は、録画再生装置１によりコンテンツが再生される場合に、記憶部１５に格納された録画再生装置１の設定情報を、所定のスピーカ装置４（４ａ〜４ｆ）に対して送信する制御を行うように構成されている。これにより、第１実施形態では、録画再生装置１の制御部１６は、所定のスピーカ装置４を子機として設定するとともに、所定のスピーカ装置４（４ａ〜４ｆ）の各々に割り当てるコンテンツの音声データのチャンネルを所定のスピーカ装置４（４ａ〜４ｆ）に対して設定するように構成されている。この結果、所定のスピーカ装置４（４ａ〜４ｆ）では、録画再生装置１の設定情報が設定され、設定された録画再生装置１の設定情報に基づいて録画再生装置１からの音声データが再生される。
【００６４】
次に、図５を参照して、録画再生装置１からの音声データを、所定のスピーカ装置４（４ａ〜４ｆ）により再生する場合について説明する。
【００６５】
この場合、図５に示すように、ユーザは他の部屋Ｒ２に配置された３つのスピーカ装置４ｄ〜４ｆを、リビングＲ１に移動させる。
【００６６】
そして、たとえばリモコン（図示せず）などにより録画再生装置１に対してコンテンツの再生指示が入力されると、まず、録画再生装置１の制御部１６は、設定画面６０において選択された所定のスピーカ装置４（４ａ〜４ｆ）からマルチルームオーディオシステムの設定情報を取得し、記憶部１５に格納するように構成されている。
【００６７】
そして、録画再生装置１の制御部１６は、録画再生装置１の設定情報を、所定のスピーカ装置４（４ａ〜４ｆ）に対して送信することにより、所定のスピーカ装置４（４ａ〜４ｆ）を子機として設定するとともに、所定のスピーカ装置４（４ａ〜４ｆ）の各々に割り当てるコンテンツの音声データのチャンネルを設定するように構成されている。
【００６８】
そして、録画再生装置１の制御部１６は、再生されるコンテンツの音声データを、子機としての所定のスピーカ装置４（４ａ〜４ｆ）に対して、無線ルータ３を介することなく直接的に送信するように構成されている。これらの結果、Ｆｒｏｎｔ  Ｌ、Ｆｒｏｎｔ  Ｒ、Ｃｅｎｔｅｒ、Ｓｕｒｒｏｕｎｄ  Ｌ、  Ｓｕｒｒｏｕｎｄ  Ｒ、Ｓｕｒｒｏｕｎｄ  Ｂａｃｋ  Ｌ、Ｓｕｒｒｏｕｎｄ  Ｂａｃｋ  ＲおよびＳｕｂｗｏｏｆｅｒの７．１チャンネルの音声データの音声が、所定のスピーカ装置４（４ａ〜４ｆ）のスピーカ部４２により出力される。つまり、録画再生装置１のコンテンツの音声データが、録画再生装置１の設定情報に基づいて、所定のスピーカ装置４（４ａ〜４ｆ）のスピーカ部４２により再生される。
【００６９】
また、録画再生装置１の制御部１６は、コンテンツの音声データの再生と同期するように、再生されるコンテンツの映像データを表示装置２に対して送信するように構成されている。この結果、表示装置２の表示部２３に映像データの映像が表示される。
【００７０】
また、録画再生装置１の制御部１６は、コンテンツの視聴が終了し録画再生装置１がスタンバイ状態に遷移することや録画再生装置１の電源がオフされることなどにより、コンテンツの再生が停止した場合には、コンテンツの再生開始時に取得された元の設定情報（マルチルームオーディオの設定情報）を、所定のスピーカ装置４（４ａ〜４ｆ）に対して送信するように構成されている。これにより、録画再生装置１の制御部１６は、所定のスピーカ装置４（４ａ〜４ｆ）を、元の設定の状態に戻すように構成されている。すなわち、この第１実施形態の場合には、所定のスピーカ装置４（４ａ〜４ｆ）を、図３に示す設定の状態に戻すように構成されている。
【００７１】
次に、図６を参照して、録画再生装置１のコンテンツ再生時の録画再生装置１、携帯端末５およびスピーカ装置４の動作について、シーケンス図に基づいて説明する。なお、録画再生装置１の動作は、制御部１６により行われ、携帯端末５の動作は、制御部５４により行われ、スピーカ装置４の動作は、制御部４３により行われる。ここでは、携帯端末５からの音声データのスピーカ装置４による再生中に、録画再生装置１によりコンテンツの再生が開始する場合を例に説明する。
【００７２】
図６に示すように、まず、ステップＳ１において、上記した録画再生装置１の設定情報を設定する設定の入力が録画再生装置１により受け付けられる。すなわち、ステップＳ１では、設定画面６０（図３参照）において、コンテンツの音声データを再生する所定のスピーカ装置４の設定と、所定のスピーカ装置４の各々に割り当てるコンテンツの音声データのチャンネルの設定との入力が受け付けられる。
【００７３】
また、ステップＳ２において、携帯端末５からスピーカ装置４に対して再生要求が送信される。この結果、ステップＳ３において、携帯端末５からの音声データが、スピーカ装置４により再生される。
【００７４】
また、ステップＳ４において、たとえばリモコン（図示せず）などにより再生指示が入力され、録画再生装置１によりコンテンツの再生が開始されると、ステップＳ５において、スピーカ装置４から、録画再生装置１に対してマルチルームオーディオの設定情報が送信されることにより、マルチルームオーディオシステムの設定情報が録画再生装置１により取得される。また、ステップＳ５では、録画再生装置１から、スピーカ装置４に対して録画再生装置１の設定情報が送信される。これにより、スピーカ装置４は、子機として設定され、録画再生装置１は、親機として機能することになる。そして、ステップＳ６において、携帯端末５からの音声データのスピーカ装置４による再生が停止される。
【００７５】
そして、ステップＳ７において、親機としての録画再生装置１から子機として設定されたスピーカ装置４の各々に対して再生要求が送信される。この結果、ステップＳ８において、録画再生装置１からの音声データが、子機として設定されたスピーカ装置４の各々により、割り当てられたチャンネルで再生される。また、この際には、録画再生装置１から表示装置２に対して再生要求が送信されるとともに、録画再生装置１からの映像データが、スピーカ装置４による音声データの再生と同期するように、表示装置２により再生される。
【００７６】
そして、ステップＳ９において、録画再生装置１によるコンテンツの再生が停止されると、ステップＳ１０において、ステップＳ５において取得されたマルチルームオーディオシステムの設定情報が、録画再生装置１から、スピーカ装置４に対して送信される。この結果、ステップＳ１１において、録画再生装置１からの音声データのスピーカ装置４による再生が停止されるとともに、スピーカ装置４の設定が、元の設定の状態に戻る。これにより、録画再生装置１が親機として機能する状態が解除される。
【００７７】
（第１実施形態の効果）
第１実施形態では、以下のような効果を得ることができる。
【００７８】
第１実施形態では、上記のように、コンテンツが再生される場合には、取得された複数のスピーカ装置４の情報に基づいて、録画再生装置本体１ａとマルチルームオーディオシステムを構成する複数のスピーカ装置４とを対応付けるとともに、対応付けられた複数のスピーカ装置４に対して、再生されるコンテンツの音声データを送信することにより、親機として機能するように制御部１６を構成する。これにより、録画再生装置１を親機として機能させ、複数のスピーカ装置４を子機として機能させ、録画再生装置１から子機として機能する複数のスピーカ装置４に対して再生されるコンテンツの音声データを直接的に送信することができる。その結果、音声データが再生されるまでの通信経路（通信時間）を短くすることができるので、音声データの遅延が発生するのを抑制することができる。したがって、コンテンツが映像データと音声データとの両方を含む場合に、映像データに対する音声データの遅延が発生するのを抑制することができる。
【００７９】
また、第１実施形態では、上記のように、録画再生装置本体１ａと、マルチルームオーディオシステムを構成する複数のスピーカ装置４のうち、選択された少なくとも一部の所定のスピーカ装置４を、対応付けるように制御部１６を構成する。これにより、マルチルームオーディオシステムを構成する複数のスピーカ装置４および録画再生装置１を使用するユーザの環境に合わせて、選択された所定のスピーカ装置４により音声データを再生させることができる。
【００８０】
また、第１実施形態では、上記のように、録画再生装置本体１ａと所定のスピーカ装置４とを、対応付けるのに加えて、所定のスピーカ装置４の各々に割り当てるコンテンツの音声データのチャンネルを設定するように制御部１６を構成する。これにより、ユーザが所定のスピーカ装置４の再生する音声データのチャンネルを設定しなくとも、録画再生装置１の制御部１６により所定のスピーカ装置４の再生する音声データのチャンネルを設定させることができる。その結果、ユーザの利便性を向上させつつ、所定のスピーカ装置４によりマルチチャンネルの音声データを再生させることができる。
【００８１】
[第２実施形態]
次に、図１、図２および図７を参照して、第２実施形態について説明する。この第２実施形態では、録画再生装置１０１によるコンテンツの再生時に、使用不能な所定のスピーカ装置４がある場合の例について説明する。なお、録画再生装置１０１は、本発明の「再生装置」の一例である。
【００８２】
（再生システムの構成）
本発明の第２実施形態による再生システム２００は、図１および図２に示すように、録画再生装置１０１を備える点で、上記第１実施形態の再生システム１００とは相違する。また、録画再生装置１０１は、制御部１１６を含む点で、上記第１実施形態の録画再生装置１とは相違する。なお、上記第１実施形態と同一の構成については、同じ符号を付してその説明を省略する。
【００８３】
（録画再生装置によるコンテンツの再生）
第２実施形態では、図７に示すように、録画再生装置１０１の制御部１１６は、親機としての録画再生装置１０１によりコンテンツが再生される場合に、子機として設定された所定のスピーカ装置４（４ａ〜４ｆ）のうちに、使用不能なスピーカ装置４（４ａ）がある場合には、使用不能なスピーカ装置４（４ａ）に対して割り当てられたコンテンツの音声データのチャンネルを、所定のスピーカ装置４のうち使用可能なスピーカ装置４（４ｂおよび４ｃ）に振り分けるように構成されている。ここで、使用不能なスピーカ装置４とは、たとえば、電源がオフされている場合や、無線ルータ３（図１参照）以外の無線ルータに接続されている場合など、録画再生装置１を含むネットワークから外れており、録画再生装置１と通信不能な状態にあるスピーカ装置のことである。
【００８４】
また、録画再生装置１０１の制御部１１６は、録画再生装置１０１によるコンテンツの再生開始時に、所定のスピーカ装置４（４ａ〜４ｆ）のうちに、使用不能なスピーカ装置４（４ａ）があるか否かを確認するために所定のスピーカ装置４（４ａ〜４ｆ）と通信するように構成されている。また、録画再生装置１０１の制御部１１６は、録画再生装置１０１によるコンテンツの再生中にも、定期的に、所定のスピーカ装置４（４ａ〜４ｆ）のうちに、使用不能なスピーカ装置４（４ａ）があるか否かを確認するために所定のスピーカ装置４（４ａ〜４ｆ）と通信するように構成されている。これにより、録画再生装置１０１によるコンテンツの再生中に、所定のスピーカ装置４のうちいずれかが使用不能になったとしても、マルチチャンネルの音声データを欠落させることなく再生させることが可能である。なお、制御部１１６のその他の構成は、上記第１実施形態の制御部１６と同様である。
【００８５】
次に、図７を参照して、使用不能なスピーカ装置４に対して割り当てられたコンテンツの音声データのチャンネルの使用可能なスピーカ装置４への振り分けについて説明する。ここでは、スピーカ装置４ａ〜４ｆに対して上記第１実施形態と同様のチャンネルが割り当てられ、スピーカ装置４ａが使用不能な場合を例に説明する。
【００８６】
図７に示すように、スピーカ装置４ａが使用不能な場合には、スピーカ装置４ａに割り当てられたＣｅｎｔｅｒのチャンネルが、Ｃｅｎｔｅｒに隣接するＦｒｏｎｔ  Ｒのチャンネルを割り当てられたスピーカ装置４ｂ、および、Ｃｅｎｔｅｒに隣接するＦｒｏｎｔ  Ｌのチャンネルを割り当てられたスピーカ装置４ｃの２つに対して振り分けられる。この際、スピーカ装置４ｂには、Ｃｅｎｔｅｒのチャンネルの音声が５０％の音量で出力されるように割り当てられる。また、スピーカ装置４ｃにも、同様に、Ｃｅｎｔｅｒのチャンネルの音声が５０％の音量で出力されるように割り当てられる。つまり、スピーカ装置４ｂでは、Ｆｒｏｎｔ  Ｒのチャンネルの音声が１００％の音量で出力されるとともに、Ｃｅｎｔｅｒのチャンネルの音声が５０％の音量で出力される。また、スピーカ装置４ｃでは、Ｆｒｏｎｔ  Ｌのチャンネルの音声が１００％の音量で出力されるとともに、Ｃｅｎｔｅｒのチャンネルの音声が５０％の音量で出力される。
【００８７】
なお、第２実施形態のその他の構成は、上記第１実施形態と同様である。
【００８８】
（第２実施形態の効果）
第２実施形態では、以下のような効果を得ることができる。
【００８９】
第２実施形態では、上記のように、コンテンツが再生される場合には、取得された複数のスピーカ装置４の情報に基づいて、録画再生装置本体１ａとマルチルームオーディオシステムを構成する複数のスピーカ装置４とを対応付けるとともに、対応付けられた複数のスピーカ装置４に対して、再生されるコンテンツの音声データを送信することにより、親機として機能するように制御部１１６を構成する。これにより、上記第１実施形態と同様に、音声データの遅延が発生するのを抑制することができる。
【００９０】
また、第２実施形態では、上記のように、所定のスピーカ装置４のうちに、使用不能なスピーカ装置４がある場合には、使用不能なスピーカ装置４に対して割り当てられたコンテンツの音声データのチャンネルを、所定のスピーカ装置４のうち使用可能なスピーカ装置４に振り分けるように制御部１１６を構成する。これにより、使用不能なスピーカ装置４に対して割り当てられたチャンネルの音声データを、使用可能なスピーカ装置４により再生させることができる。その結果、マルチチャンネルの音声データを欠落させることなく再生させることができる。
【００９１】
なお、第２実施形態のその他の効果は、上記第１実施形態と同様である。
【００９２】
[第３実施形態]
次に、図１、図２および図８を参照して、第３実施形態について説明する。この第３実施形態では、録画再生装置１に対してコンテンツの再生指示が入力されたタイミングで、録画再生装置１の設定情報を、所定のスピーカ装置４（４ａ〜４ｆ）に対して送信した上記第１実施形態とは異なり、表示装置２０２の映像データの入力源が録画再生装置２０１に切り替えられたタイミングで、録画再生装置２０１の設定情報を、所定のスピーカ装置４（４ａ〜４ｆ）に対して送信する例について説明する。なお、録画再生装置２０１は、本発明の「再生装置」の一例である。
【００９３】
（再生システムの構成）
本発明の第３実施形態による再生システム３００は、図１および図２に示すように、録画再生装置２０１と、表示装置２０２とを備える点で、上記第１実施形態の再生システム１００とは相違する。また、録画再生装置２０１は、制御部２１６を含む点で、上記第１実施形態の録画再生装置１とは相違する。また、表示装置２０２は、制御部２２４を含む点で、上記第１実施形態の表示装置２とは相違する。なお、上記第１実施形態と同一の構成については、同じ符号を付してその説明を省略する。
【００９４】
（録画再生装置によるコンテンツの再生）
第３実施形態では、表示装置２０２の制御部２２４は、リモコン（図示せず）などの操作により映像データの入力源が録画再生装置２０１に切り替えられた場合には、ＨＤＭＩケーブル２ａのＣＥＣラインを経由して、録画再生装置２０１に対して、表示装置２０２の映像データの入力源の切替に関する入力源切替情報を送信するように構成されている。
【００９５】
また、第３実施形態では、録画再生装置２０１の制御部２１６は、入力源切替情報を取得するとともに、入力源切替情報が取得された場合には、録画再生装置２０１により再生されるコンテンツの映像データを映像データの入力源として表示装置２０２が受け付ける状態であることを検出するように構成されている。また、録画再生装置２０１の制御部２１６は、録画再生装置２０１により再生されるコンテンツの映像データを映像データの入力源として表示装置２０２が受け付ける状態であることが検出された場合には、録画再生装置２０１の設定情報を、所定のスピーカ装置４（４ａ〜４ｆ）に対して送信するように構成されている。これにより、第３実施形態では、録画再生装置２０１の制御部２１６は、入力源切替情報に基づくタイミングで、録画再生装置本体１ａと、所定のスピーカ装置４（４ａ〜４ｆ）とを対応付ける（所定のスピーカ装置４（４ａ〜４ｆ）を子機として設定する）とともに、所定のスピーカ装置４（４ａ〜４ｆ）の各々に割り当てるコンテンツの音声データのチャンネルを所定のスピーカ装置４（４ａ〜４ｆ）に対して設定するように構成されている。なお、制御部２１６のその他の構成は、上記第１実施形態の制御部１６と同様である。
【００９６】
次に、図８を参照して、録画再生装置２０１のコンテンツ再生時の録画再生装置２０１、表示装置２０２、携帯端末５およびスピーカ装置４の動作について、シーケンス図に基づいて説明する。なお、録画再生装置２０１の動作は、制御部２１６により行われ、表示装置２０２の動作は、制御部２２４により行われ、携帯端末５の動作は、制御部５４により行われ、スピーカ装置４の動作は、制御部４３により行われる。また、図６に示した上記第１実施形態と同一の処理については、同じ符号を付してその説明を省略する。
【００９７】
図８に示すように、まず、ステップＳ１において、上記した録画再生装置２０１の設定情報を設定する設定の入力が録画再生装置２０１により受け付けられる。また、ステップＳ２において、携帯端末５からスピーカ装置４に対して再生要求が送信され、ステップＳ３において、携帯端末５からの音声データが、スピーカ装置４により再生される。
【００９８】
そして、第３実施形態では、ステップＳ２１において、表示装置２０２から、録画再生装置２０１に対して入力源切替情報が送信される。これにより、録画再生装置２０１により再生されるコンテンツの映像データを映像データの入力源として表示装置２０２が受け付ける状態であることが録画再生装置２０１により検出される。そして、ステップＳ２２において、スピーカ装置４から、録画再生装置２０１に対してマルチルームオーディオの設定情報が送信されるとともに、録画再生装置２０１から、スピーカ装置４に対して録画再生装置２０１の設定情報が送信される。これにより、スピーカ装置４は、子機として設定され、録画再生装置１は、親機として機能することになる。そして、ステップＳ２３において、携帯端末５からの音声データのスピーカ装置４による再生が停止される。
【００９９】
そして、ステップＳ２４において、たとえばリモコン（図示せず）などにより再生指示が入力され、録画再生装置２０１によりコンテンツの再生が開始されると、ステップＳ２５において、親機としての録画再生装置２０１から子機として設定されたスピーカ装置４の各々に対して再生要求が送信される。この結果、ステップＳ２６において、録画再生装置２０１からの音声データが、子機として設定されたスピーカ装置４の各々により、割り当てられたチャンネルで再生される。また、この際には、図示を省略しているが、録画再生装置２０１から表示装置２０２に対して再生要求が送信されるとともに、録画再生装置２０１からの映像データが、スピーカ装置４による音声データの再生と同期するように、表示装置２０２により再生される。
【０１００】
そして、ステップＳ２７において、録画再生装置２０１によるコンテンツの再生が停止されると、ステップＳ２８において、ステップＳ２２において取得されたマルチルームオーディオシステムの設定情報が、録画再生装置２０１から、スピーカ装置４に対して送信される。この結果、ステップＳ２９において、録画再生装置２０１からの音声データのスピーカ装置４による再生が停止されるとともに、スピーカ装置４の設定が、元の設定の状態に戻る。これにより、録画再生装置２０１が親機として機能する状態が解除される。
【０１０１】
なお、第３実施形態のその他の構成は、上記第１実施形態と同様である。
【０１０２】
（第３実施形態の効果）
第３実施形態では、以下のような効果を得ることができる。
【０１０３】
第３実施形態では、上記のように、コンテンツが再生される場合には、取得された複数のスピーカ装置４の情報に基づいて、録画再生装置１ａとマルチルームオーディオシステムを構成する複数のスピーカ装置４とを対応付けるとともに、対応付けられた複数のスピーカ装置４に対して、再生されるコンテンツの音声データを送信することにより、親機として機能するように制御部２１６を構成する。これにより、上記第１実施形態と同様に、音声データの遅延が発生するのを抑制することができる。
【０１０４】
また、第３実施形態では、上記のように、接続部１１を介して、表示装置２０２から、表示装置２０２の映像データの入力源の切替に関する入力源切替情報を取得するとともに、取得された入力源切替情報に基づくタイミングで、録画再生装置本体１ａと所定のスピーカ装置４とを、対応付けるように制御部２１６を構成する。これにより、ユーザにより録画再生装置２０１が使用されると考えられる場合に、迅速に、所定のスピーカ装置４を対応付けることができる。
【０１０５】
なお、第３実施形態のその他の効果は、上記第１実施形態と同様である。
【０１０６】
（変形例）
なお、今回開示された実施形態は、全ての点で例示であって制限的なものではないと考えられるべきである。本発明の範囲は、上記した実施形態の説明ではなく特許請求の範囲によって示され、さらに特許請求の範囲と均等の意味および範囲内での全ての変更（変形例）が含まれる。
【０１０７】
たとえば、上記第１〜第３実施形態では、録画機能と再生機能との両方を有する録画再生装置１（１０１、２０１）に対して本発明を適用した例を示したが、本発明はこれに限られない。本発明は、光ディスクなどの再生機能のみを有する再生装置に適用されてもよい。
【０１０８】
また、上記第１〜第３実施形態では、録画再生装置１（１０１、２０１）、スピーカ装置４および携帯端末５が、互いに、無線ルータ３を介して間接的に接続された例を示したが、本発明はこれに限られない。本発明では、録画再生装置、スピーカ装置および携帯端末が、互いに、無線ルータを介することなく直接的に接続されてもよい。
【０１０９】
また、上記第１〜第３実施形態では、親機としての録画再生装置１（１０１、２０１）が、子機としての所定のスピーカ装置４（４ａ〜４ｆ）に対して、無線ルータ３を介することなく直接的に音声データを送信した例を示したが、本発明はこれに限られない。本発明では、親機としての録画再生装置が、子機としての所定のスピーカ装置に対して、無線ルータを介して音声データを送信してもよい。
【０１１０】
また、上記第１実施形態では、親機としてのスピーカ装置４ａ（４ｄ）が、子機としてのスピーカ装置４ｂおよび４ｃ（４ｅおよび４ｆ）に対して、無線ルータ３を介することなく直接的に音声データを送信した例を示したが、本発明はこれに限られない。本発明では、親機としてのスピーカ装置が、子機としてのスピーカ装置に対して、無線ルータを介して音声データを送信してもよい。
【０１１１】
また、上記第１〜第３実施形態では、録画再生装置１（１０１、２０１）と、表示装置２（２０２）とが、互いにＨＤＭＩケーブル２ａにより接続された例を示したが、本発明はこれに限られない。本発明では、録画再生装置と、表示装置とが、ＨＤＭＩケーブル以外の手段で互いに接続されてもよい。
【０１１２】
また、上記第１〜第３実施形態では、マルチルームオーディオシステムの全部のスピーカ装置４（４ａ〜４ｆ）を、所定のスピーカ装置４（４ａ〜４ｆ）として設定した例を示したが、本発明はこれに限られない。本発明では、マルチルームオーディオシステムの一部のスピーカ装置を、所定のスピーカ装置として設定してもよい。
【符号の説明】
【０１１３】
１、１０１、２０１  録画再生装置（再生装置）
１ａ  録画再生装置本体（再生装置本体）
２、２０２  表示装置
４、４ａ〜４ｆ  スピーカ装置
１４  通信部
１６、１１６、２１６  制御部
【図１】
2017005376.tif 000003
【図２】
2017005376.tif 000004
【図３】
2017005376.tif 000005
【図４】
2017005376.tif 000006
【図５】
2017005376.tif 000007
【図６】
2017005376.tif 000008
【図７】
2017005376.tif 000009
【図８】
2017005376.tif 000010